(57)【要約】ペダル（６０）に複数の振動密封柱孔（７０）が設けられ、移動可能な振動密封柱（２０）が振動密封柱孔（７０）から延出しており、振動密封柱孔（７０）の周辺に突出したペダルリブ（４０）が設置され、振動密封柱（２０）は押圧されていないときにペダルリブ（４０）より高い靴底クリーナー。振動密封柱孔（７０）の下方には、吸塵濾過室に連通して段差（８０２）とバネ（９０）を装着したバネ部（８０３）とを備える振動密封室（８０）が設置される。振動密封柱（２０）は中間が円盤状の柱体であり、振動密封室（８０）を上下貫通し、円盤が段差（８０２）に位置する。振動密封柱（２０）は、押圧されたときに振動密封室（８０）下に設置された振動板（１２０）に接触して、振動板（１２０）により生じた振動を振動密封柱（２０）を介してペダル（６０）にある靴底に伝達する。【選択図】図２
2018525185.tif 000002
【特許請求の範囲】
【請求項１】
電源、作動制御パネル、吸塵ブロア、吸塵濾過室及び空気加熱室を取り付ける制御・吸塵部と、靴底クリーン部とを備える靴底クリーナーであって、
靴底クリーン部はケースであり、上部がプラットフォームのような踏みペダル（６０）であり、ペダル（６０）に複数の振動密封柱孔（７０）が設けられ、移動可能な振動密封柱（２０）が振動密封柱孔（７０）から延出しており、振動密封柱孔（７０）の周辺に突出したペダルリブ（４０）が設置され、振動密封柱（２０）は押圧されていないときにペダルリブ（４０）より高く、
ペダルリブ（４０）は、ペダル（６０）におけるボスであり、両端からペダル（６０）にむけて、且つ、頂部からペダル（６０）にむけて、段階的な緩勾配をしており、ペダルリブ（４０）の横側面が三角形、円形、半円形、台形、正方形、長方形等の形状であり、シャープなエッジが面取りによってスムーズな形状になり、
ペダル（６０）の振動密封柱孔（７０）の下方に、振動密封室（８０）が設けられ、振動密封室（８０）とペダル（６０）の間に耐摩耗性ソフトパッドが密封パッド（１１０）として設けられ、振動密封室（８０）は上部密封部（８０１）と、中間段差（８０２）と、下部バネ部（８０３）を含み、バネ部（８０３）の底部に貫通孔が設けられ、振動密封室（８０）のバネ部（８０３）にバネ（９０）が装着され、振動密封室（８０）の周壁がリブにより囲まれて構成してもよく、実物により囲まれて構成してもよく、実物により囲まれて構成する場合は、吸塵濾過室に連通する気流孔（１００）が設けられ、
振動密封柱（２０）は中間が円盤状の柱体であり、頂部が面取りされており、振動密封室（８０）に装着されて、バネ（９０）とバネ部（８０３）の貫通孔を貫通し、振動密封柱（２０）の円盤がバネ（９０）を止めて、振動密封室（８０）の段差（８０２）に位置し、振動密封柱（２０）の上部が振動密封柱孔（７０）から突出しており、振動密封柱（２０）の上下移動距離が密封部（８０１）の高さにより制限され、
振動密封室（８０）の下方には、振動装置（１３０）とダンパー（１４０）が装着された振動板（１２０）が設けられ、振動装置（１３０）はモータの偏心振動子であってもよく、変圧器の半波長振動発生装置であってもよく、振動を発生させるものであり、振動密封柱（２０）が押圧されたときに振動板（１２０）に接触して振動を靴底に伝達し、ダンパー（１４０）は、靴底クリーナー（１０）の底部に接続され、バネ等の制振材料とされてもよく、振動密封柱２０は、押圧されたとき、下移動距離が振動密封室（８０）の段差（８０２）により制限され、
振動密封室（８０）は吸塵濾過室に連通し、吸塵ブロアは吸塵濾過室に負圧を発生させ、振動密封柱（２０）は、押圧されていないときに、その円盤が振動密封室（８０）中のバネ（９０）による圧力によってペダル（６０）の下平面にある密封パッド（１１０）に当接されて、密封作用を果たすことを特徴とする靴底クリーナー。
【請求項２】
ペダル（６０）において、ペダルリブ（４０）が囲んだ領域に通気孔（３０）が設けられ、振動密封室（８０）の周壁が実物により囲まれて構成する場合、通気管を吸塵濾過室に連通させる気流孔（１００）が設けられることを特徴とする請求項１に記載の靴底クリーナー。
【請求項３】
ペダル（６０）において、ペダルリブ（４０）が囲んだ領域に通気孔（３０）が設けられ、通気孔３０に通気管を空気加熱室に連通させる通気孔インターフェース１５０が設けられ、振動密封室（８０）の周壁がリブにより囲まれて構成してもよく、気流が吸塵濾過室に案内され、実物により囲まれて構成してもよく、この場合は、吸塵濾過室に連通して通気管を吸塵濾過室に連通させる気流孔（１００）が設けられることを特徴とする請求項１に記載の靴底クリーナー。
【請求項４】
振動密封キャップ（２０１）が振動密封柱（２０）の頂部に装着され且つ振動密封柱孔（７０）から突出しており、振動密封キャップ（２０１）と振動密封柱（２０）は一体に製造されてもよく、それぞれ製造して一体に組み立ててもよいことを特徴とする請求項１に記載の靴底クリーナー。
【請求項５】
振動密封柱（２０）、振動密封柱孔（７０）、振動密封室（８０）の形状は互いに嵌め合いし、矩形等の他の形状にしてもよく、
振動密封室（８０）の密封部（８０１）、下部バネ部（８０３）が囲んでなるリブ、リブの数、リブ幅及び距離については、作動のニーズを満足できればよく、制限がないことを特徴とする請求項１に記載の靴底クリーナー。
【発明の詳細な説明】
【技術分野】
【０００１】
本発明は、クリーン分野に属し、特に部屋に入る前に靴底を清潔にして、靴底に付いた埃塵等の汚れが室外から室内に混入されることを防止する装置に関する。
【背景技術】
【０００２】
靴底クリーンの分野では、装置に１０秒間程度立てるだけで、清潔にして乾燥させるのが理想的な手段であり、また、ハイヒールにも対応でき、簡便且つ安全であり、効率も実用性も高いことが求められており、しかし、部屋に入るときに靴底をクリーンするための様々な方式や方法に関する複数の特許において、今まで、上記目的を達成できるものがなかった。そのうちの一部の特許には、自動制御型密封吸塵技術が開示されており、たとえば、開示番号ＣＮ２０３０５９６３０Ｕ、ＣＮ１０１１３３９３３Ａ、ＣＮ２９２５３９０Ｙ、ＴＷＭ３２４４９１Ｕ、ＣＮ２２７４９３４Ｙ、ＣＮ２０２５０５３０８Ｕ、ＣＮ１０２４８８４８７Ａ、ＣＮ１０２３３４９７０Ａ、ＣＮ１０１９７２１３２Ｂ、ＣＮ２０４８４０３Ｕ等には、複数の孔が開けられたプラットフォームが設置され、プラットフォーム下にチャンバが設置され、孔内にプラットフォームから突出した球体、柱体やほかの形状をしている部材が設置され、且つ、バネ等の弾性材料によって突出部材を押圧して孔を密封させて、チャンバ内に負圧又は真空を形成し、このように、靴底がプラットフォームから突出する部材を踏み込むと、この部材は押されて隙間を発生させて埃塵等の汚れを吸収し、靴底がプラットフォームから離れると、バネ等の弾性材料は自動的にチャンバを密封するような記載がある。上記技術案では、靴底が踏む部分にのみ吸塵用の気流を発生させるため、気流もエネルギーも節約できるだけでなく、使用者が履いているハイヒール等が立って迅速に清潔にすることを可能にし、このため、使用しやすく、確実性にも優れる。しかしながら、使用過程に、靴底材料と靴底の踏む環境が複雑であることから、付いている埃塵等の汚れの成分も複雑になり、特に湿気を含む埃塵が大きな吸着作用力を持っているため、使用時の吸塵効果が十分だと言えない。吸塵効果を高めるために、上記技術案のうち、ＣＮ１０１１３３９３３ＡとＴＷＭ３２４４９１Ｕではそれぞれ刷毛カーテンと刷毛が設置され、ＣＮ２２７４９３４Ｙではワイパーが設置され、ＣＮ２０４８４０３Ｕではワイヤー付き粉塵除去パッドが設置されるが、刷毛、ワイパーやワイヤー等はいずれも摩損しやすい部材であり、短時間使用しても、メンテナンスをしたり交換したりしなければならず、使用の耐久性を損なう。
【発明の概要】
【発明が解決しようとする課題】
【０００３】
本発明は、従来の自動制御型密封吸塵技術に基づいて、吸塵効果が不十分である問題を解決し、使用し易さ及び高効率、高信頼性や耐久性を損なわずに吸塵効果を高める靴底クリーナーを提供することを目的とする。
【課題を解決するための手段】
【０００４】
本発明は以下のように達成される。本発明は、電源、作動制御パネル、吸塵ブロア、吸塵濾過室及び空気加熱室を取り付ける制御・吸塵部と、靴底クリーン部とから構成され、制御・吸塵部は慣用技術であるため、詳細な説明を省略する。
【０００５】
靴底クリーン部はケースであり、上部がプラットフォームのような踏みペダルであり、ペダルに複数の振動密封柱孔が設けられ、移動可能な振動密封柱が振動密封柱孔から延出しており、振動密封柱孔の周辺に突出したペダルリブが設置され、振動密封柱は押圧されていないときにペダルリブより高い。ペダルリブはペダルにおけるボスであり、両端からペダルにむけて、且つ、頂部からペダルにむけて、段階的な緩勾配をしている。ペダルの振動密封柱孔の下方に、振動密封室が設けられる。振動密封室とペダルの間に耐摩耗性ソフトパッドが密封パッドとして設けられる。振動密封室は上部密封部、中間段差、下部バネ部を含む。バネ部の底部に貫通孔が設けられる。振動密封室のバネ部にバネが装着される。振動密封室の周壁がリブにより囲まれて構成してもよく、実物により囲まれて構成してもよく、実物により囲まれて構成する場合は、吸塵濾過室に連通する気流孔が設けられる。振動密封柱は中間が円盤状の柱体であり、頂部が面取りされている。振動密封柱は、振動密封室に装着されて、バネとバネ部の貫通孔を貫通する。振動密封柱の円盤がバネを止めて、振動密封室の段差に位置する。振動密封柱の上部が振動密封柱孔から突出している。振動密封柱の上下移動距離が密封部の高さにより制限される。振動密封室の下方には、振動装置とダンパーが装着された振動板が設けられる。振動装置は振動を発生させるものであり、振動密封柱は、押圧されたときに振動板に接触して振動を靴底に伝達する。ダンパーは、靴底クリーナーの底部に接続され、バネ等の制振材料とされてもよい。振動密封柱は、押圧されたとき、下移動距離が振動密封室の段差により制限される。振動密封室は吸塵濾過室に連通し、吸塵ブロアは吸塵濾過室に負圧を発生させる。
【０００６】
振動密封キャップは、必要に応じて振動密封柱の頂部に装着され且つ振動密封柱孔から突出している。振動密封キャップは振動密封柱と別置にしてもよいし、一体にしてもよい。
【０００７】
振動密封柱の円盤は、振動密封室中のバネの圧力によってペダルの下平面にある密封パッドに当接されて、密封作用を果たす。使用者が本靴底クリーナーのペダルに踏むとき、吸塵ブロアは、作動して吸引負圧を発生させる。使用者の靴底がまず振動密封柱を押圧して、次にペダルリブに接触する。振動密封柱が靴底からの圧力を受けて下へ移動して、振動密封柱孔が開かれる。ブロアによる吸引作用によって、振動密封柱孔の周囲にあるペダルリブ領域で気流が形成されて、ペダルリブが非密閉領域であるため、空気が自在に流動でき、このように、安定的な気流が形成される。気流と埃塵等の汚れが振動密封柱孔と振動密封柱の間にある隙間を介して振動密封室に流れて、吸塵濾過室に到着し、粉塵や土壌等の汚れが収集される。振動密封柱は押圧されて下へ移動して振動板に接触し、振動装置により生じた振動は振動板を介して振動密封柱に伝達して、次に靴底に伝達する。靴底は、連続的な振動と吸引の作用、及び気流による乾燥作用を受けて、強固に付着した汚れや粉塵を落とされる。靴を本靴底クリーナーにおいて少なくとも１回移動すると、ペダルリブで押さえられた靴底の部分は移動後に本靴底クリーナーによりクリーンされることによって、靴底に対してクリーン作用を果たす。
【発明の効果】
【０００８】
有益な効果
自動制御型密封吸塵に基づいて、振動装置、靴底の気流通路を増設するため、本靴底クリーナーに踏むとき、靴底は、連続的な振動と安定的な気流による吸引作用、及び気流乾燥作用を受けて、大部分の埃塵等の汚れを落とされることができ、クリーン強化効果が高い。ペダルリブを設置することによって、振動密封柱はペダルと面一になるまでしか押圧されることができず、それによって使用者の安全性を向上させる。さらに、利便性、高効率、高信頼性及び耐久性の特徴を損なうことがなく、使用者は該装置のいずれの部位にも自在に踏むことができる。
【図面の簡単な説明】
【０００９】
【図１】本靴底クリーナーの外観立体図である。
【図２】図１のＡ−Ａ部分断面図である。
【図３】図１のＢ−Ｂ部分断面図である。
【図４】振動密封室の正面図である。
【図５】振動密封室が実物により囲まれた場合の上面図である。
【図６】振動密封室がリブにより囲まれた場合の上面図である。
【図７】振動密封柱の正面図と上面図である。
【図８】振動密封キャップの正面図と上面図である。
【発明を実施するための形態】
【００１０】
図中において、１０．本靴底クリーナー、２０．振動密封柱、３０．通気孔、４０．ペダルリブ、５０．制御・吸塵部、６０．ペダル、７０．振動密封柱孔、８０．振動密封室、９０．バネ、１００．気流孔、１１０．密封パッド、１２０．振動板、１３０．振動装置、１４０．ダンパー、１５０．通気孔インターフェース、２０１．振動密封キャップ、８０１．密封部、８０２．段差、８０３．バネ部を示す。
【００１１】
以下、図面を参照しながら実施形態によって本発明について更に詳細に説明する。
【００１２】
実施形態１
本靴底クリーナー１０は、電源、作動制御パネル、吸塵ブロア、吸塵濾過室を取り付ける制御・吸塵部５０と、靴底クリーン部とから構成され、制御・吸塵部５０は慣用技術であるため、詳細な説明を省略する。
【００１３】
靴底クリーン部はケースであり、上部がプラットフォームのような踏みペダル６０であり、ペダル６０に複数の振動密封柱孔７０が設けられ、移動可能な振動密封柱２０が振動密封柱孔７０から延出しており、振動密封柱孔７０の周辺に突出したペダルリブ４０が設けられ、振動密封柱７０は押圧されていないときにペダルリブ４０より高い。ペダルリブ４０はペダル６０にあるボスであり、両端からペダル６０に向けて、且つ、頂部からペダル６０にむけて、段階的な緩勾配をしている。ペダルリブ４０の横側面が三角形、円形、半円形、台形、正方形、長方形等の形状であり、シャープなエッジが面取りによりスムーズな形状になる。ペダル６０の振動密封柱孔７０の下方に、振動密封室８０が設けられる。振動密封室８０とペダル６０の間に密封パッド１１０が耐摩耗性ソフトパッドとして設けられる。振動密封室８０は上部密封部８０１、中間段差８０２、下部バネ部８０３を含む。バネ部８０３の底部に貫通孔が設けられる。振動密封室８０のバネ部８０３にバネ９０が装着される。振動密封室８０の周壁がリブにより囲まれて構成してもよく、実物により囲まれて構成してもよく、実物により囲まれて構成する場合は、吸塵濾過室に連通する気流孔１００が設けられる。振動密封柱２０は中間が円盤状の柱体であり、頂部が面取りされている。振動密封柱２０は、振動密封室８０に装着されて、バネ９０とバネ部８０３の貫通孔を貫通する。振動密封柱２０の円盤がバネ９０を止めて、振動密封室８０の段差８０２に位置する。振動密封柱２０の上部が振動密封柱孔７０から突出している。振動密封柱２０の上下移動距離が密封部８０１の高さにより制限される。振動密封室８０の下方には、振動装置１３０とダンパー１４０が装着された振動板１２０が設けられる。振動装置１３０はモータの偏心振動子であってもよく、変圧器の半波長振動発生装置であってもよい。振動装置１３０は振動を発生させるものであり、振動密封柱２０は押圧されたときに振動板１２０に接触して振動を靴底に伝達する。ダンパー１４０は、靴底クリーナー１０の底部に接続され、バネ等の制振材料とされてもよい。振動密封柱２０は、押圧されたとき、下移動距離が振動密封室８０の段差８０２により制限される。振動密封室８０は吸塵濾過室に連通し、吸塵ブロアは吸塵濾過室に負圧を発生させる。近づいている使用者がない場合、振動密封柱２０の円盤は、振動密封室８０中のバネ９０の圧力によってペダル６０の下平面にある密封パッド１１０に当接されて、密封作用を果たす。
【００１４】
使用者が本靴底クリーナー１０のペダル６０に踏むとき、吸塵ブロアは、作動して、吸塵濾過室と振動密封室８０及びそれらの間にある通路に吸引負圧を発生させる。使用者の靴底がまず振動密封柱２０を押圧して、次にペダルリブ４０に接触する。振動密封柱２０が靴底からの圧力を受けて下へ移動して、振動密封柱孔７０が開かれる。ブロアによる吸引作用によって、振動密封柱孔７０の周囲にあるペダルリブ４０の領域で気流が形成されて、ペダルリブ４０が非密閉領域であるため、空気が自在に流動でき、このように、安定的な気流が形成される。気流と埃塵等の汚れが振動密封柱孔７０と振動密封柱２０の間にある隙間を介して振動密封室８０に流れて、吸塵濾過室に到着し、粉塵や土壌等の汚れが収集される。振動密封柱２０は押下されて下へ移動して振動板１２０に接触し、振動装置１３０により生じた振動は振動板１２０を介して振動密封柱２０に伝達して、次に靴底に伝達する。靴底は、連続的な振動と吸引の作用、及び気流による乾燥作用を受けて、強固に付着した汚れや粉塵を落とされる。使用者が本靴底クリーナー１０に立って少なくとも１回移動すると、ペダルリブ４０に押された靴底の部分は移動後に本靴底クリーナー１０によりクリーンされることによって、靴底に対してクリーン作用を果たす。
【００１５】
発明の実施例
【００１６】
本発明の実施形態
実施形態２
ペダル６０において、ペダルリブ４０が囲んだ領域に通気孔３０が設けられる。振動密封室８０の周壁が実物により囲まれて構成する場合、気流孔１００が設けられる。気流孔１００は通気管を吸塵濾過室に連通させる。空気が通気孔３０からペダルリブ４０を通過して動密封柱２０の周囲に至る。残りは実施形態１と同様である。通気孔３０を増設することによって、気流量を増加して、靴底の中央にも強い気流を与えて靴底に対して吸塵作業を行う。気流孔１００から通気管を吸塵濾過室に接続することによって、本靴底クリーナー１０のペダル６０の各部位での気流の気圧を均一にして、クリーン効果を向上させることができる。
【００１７】
実施形態３
ペダル６０において、ペダルリブ４０が囲んだ領域に通気孔３０が設けられる。通気孔３０に通気管を空気加熱室に接続する通気孔インターフェース１５０が設けられる。振動密封室８０の周壁がリブにより囲まれて構成してもよく、気流が吸塵濾過室に流れ、実物により囲まれて構成してもよく、この場合、吸塵濾過室に連通する気流孔１００が設けられる。気流孔１００は通気管を吸塵濾過室に接続することができる。本例は、特に高湿度区域に適しており、空気加熱室により乾燥高温気流を提供することによって、靴底のクリーンに有利である。
【００１８】
実施形態４
振動密封キャップ２０１が振動密封柱２０の頂部に装着され且つ振動密封柱孔７０から突出している。振動密封キャップ２０１と振動密封柱２０は一体に製造されてもよく、それぞれ製造して一体に組み立ててもよい。振動密封キャップ２０１は、振動密封柱２０、振動密封柱孔７０の大きさに合わせるために、設計されるものである。
【００１９】
実施形態５
振動密封柱２０、振動密封柱孔７０、振動密封室８０の形状は互いに嵌め合いする。矩形等の他の形状にしてもよい。振動密封室８０の密封部８０１、下部バネ部８０３が囲んだリブ、リブ数、リブ幅及び距離については、作動のニーズを満足できればよく、制限がない。
【産業上の利用可能性】
【００２０】
本発明は、必要に応じて、前記実施形態によって容易生産できる。
【符号の説明】
【００２１】
１０．本靴底クリーナー、２０．振動密封柱、３０．通気孔、４０．ペダルリブ、５０．制御・吸塵部、６０．ペダル、７０．振動密封柱孔、８０．振動密封室、９０．バネ、１００．気流孔、１１０．密封パッド、１２０．振動板、１３０．振動装置、１４０．ダンパー、１５０．通気孔インターフェース、２０１．振動密封キャップ、８０１．密封部、８０２．段差、８０３．バネ部
【図１】
2018525185.tif 000003
【図２】
2018525185.tif 000004
【図３】
2018525185.tif 000005
【図４】
2018525185.tif 000006
【図５】
2018525185.tif 000007
【図６】
2018525185.tif 000008
【図７】
2018525185.tif 000009
【図８】
2018525185.tif 000010
【国際調査報告】
2018525185.tif 000011
2018525185.tif 000012
2018525185.tif 000013
2018525185.tif 000014
2018525185.tif 000015
2018525185.tif 000016